(57)【特許請求の範囲】
【請求項１】
カメラボディに着脱可能なレンズ鏡筒であって、
光が通過する開口の面積を調整可能な電磁絞り機構と、
前記電磁絞り機構を駆動制御する制御手段と、
前記電磁絞り機構の絞り値を設定するための絞り値設定手段と、
前記カメラボディ側から、前記カメラボディが前記電磁絞り機構の制御が可能か否かを示す第１の情報を受信する受信手段とを有し、
前記制御手段は、前記第１の情報が、前記カメラボディが前記電磁絞り機構の制御が可能であることを示す場合、前記カメラボディからの制御信号に基づいて前記電磁絞り機構を駆動制御し、
前記第１の情報が、前記カメラボディが前記電磁絞り機構の制御が不可能であることを示す場合、前記絞り値設定手段において設定された前記絞り値に基づいて前記電磁絞り機構を駆動制御するとともに、前記絞り値設定手段により設定された前記絞り値を前記カメラボディに送信することを特徴とするレンズ鏡筒。
【請求項２】
請求項１に記載されたレンズ鏡筒であって、
前記電磁絞り機構を、絞り状態と開放状態とに切り換える切替手段をさらに有することを特徴とするレンズ鏡筒。
【請求項３】
請求項１に記載されたレンズ鏡筒であって、
前記電磁絞り機構を、絞り状態と開放状態とに切り換える切替手段を有し、
前記制御手段は、前記第１の情報が、前記カメラボディが前記電磁絞り機構の制御が不可能であることを示す場合、前記切替手段によって前記電磁絞り機構を前記絞り状態とするように設定されていれば前記絞り値設定手段において設定された前記絞り値に基づいて前記電磁絞り機構を駆動制御し、前記切替手段によって前記電磁絞り機構を前記開放状態とするように設定されていれば前記電磁絞り機構を前記開放状態と、することを特徴とするレンズ鏡筒。
【請求項４】
請求項１から３のいずれかに記載されたレンズ鏡筒であって、
前記制御手段は、前記カメラボディからの制御信号に基づく場合と、前記絞り値設定手段において設定された前記絞り値に基づく場合とで、前記電磁絞り機構に対して異なる駆動制御をすることを特徴とするレンズ鏡筒。
【請求項５】
請求項１から４のいずれかに記載されたレンズ鏡筒であって、
前記電磁絞り機構に関する第２の情報を前記カメラボディ側へ送信する送信手段を有することを特徴とするレンズ鏡筒。
【請求項６】
請求項５に記載されたレンズ鏡筒であって、
前記送信手段が送信する前記第２の情報は、前記第１の情報に応じて変化することを特徴とするレンズ鏡筒。
【請求項７】
請求項１から６のいずれかに記載されたレンズ鏡筒であって、
前記受信手段は、前記レンズ鏡筒が装着されている前記カメラボディに対して前記電磁絞り機構を有することを示す情報を送信した後に、前記第１の情報を受信することを特徴とするレンズ鏡筒。
【請求項８】
請求項１から７のいずれかに記載されたレンズ鏡筒であって、
前記絞り値設定手段は、絞り環の位置を検出する絞り環エンコーダ又は前記電磁絞り機構の絞込量を認識するマイクロコントロールユニットを有することを特徴とするレンズ鏡筒。
【請求項９】
請求項５または６に記載されたレンズ鏡筒と、
前記レンズ鏡筒が取り付けられており、前記第２の情報を受信するボディ側受信手段および前記第１の情報を送信するボディ側送信手段とを有するカメラボディと、を有するカメラシステム。
【発明の詳細な説明】
【技術分野】
【０００１】
本発明は、レンズ鏡筒およびカメラシステムに関し、より詳細には、絞り機構を駆動制御可能なレンズ鏡筒および当該レンズ鏡筒を有するカメラシステムに関する。
【背景技術】
【０００２】
従来、一眼レフカメラ等に取り付けられるレンズ鏡筒として、レンズ鏡筒内部に備えられた絞り機構を駆動させるため、鏡筒内部にステッピングモータ等の駆動部を有する電磁絞りレンズ鏡筒が知られている（特許文献１等参照）。
【０００３】
このようなレンズ鏡筒を有するカメラシステムでは、カメラボディ側に備えられたスイッチのオンオフや、ボディＣＰＵでの演算結果等に基づき、ボディＣＰＵによって絞り機構を制御することができる。したがって、カメラボディ側から絞り機構へ機械的な力を伝達する機構が不要であり、レンズマウント部周辺の構造がシンプルである。また、カメラボディ側に備えられたスイッチ等により、絞り値等を容易にコントロールすることが可能である。
【０００４】
しかしながら、従来技術に係るレンズ鏡筒は、レンズ鏡筒が備える駆動部を制御できないカメラボディに取り付けられると、絞り機構を駆動させることができない。このため、レンズ鏡筒を取り付けて絞り機構の駆動が可能なカメラボディが制約されるという問題が生じていた。
【特許文献１】特開２００２−１５６６８１号公報
【発明の開示】
【発明が解決しようとする課題】
【０００５】
本発明は、このような実情に鑑みてなされ、その目的は、カメラボディへの適応性を高めたレンズ鏡筒を提供することである。
【課題を解決するための手段】
【０００６】
上記課題を解決するために、本発明に係るレンズ鏡筒（１２）は、カメラボディ（１０）に着脱可能なレンズ鏡筒であって、
光が通過する開口の面積を調整可能な絞り機構（１６）と、
前記絞り機構を駆動制御する制御手段（２２，２４）と、
前記カメラボディ側から、前記カメラボディが前記絞り機構の制御が可能か否かを示す第１の情報を受信する受信手段（２４，２６）とを有し、
前記制御手段は、前記第１の情報が、前記カメラボディが前記絞り機構の制御が可能であることを示す場合、前記カメラボディからの制御信号に基づいて前記絞り機構を駆動制御する。
【０００７】
また、例えば、前記制御手段は、前記第１の情報が、前記カメラボディが前記絞り機構の制御が不可能であることを示す場合、設定された情報に基づいて前記絞り機構を駆動制御してもよい。
【０００８】
また、例えば、本発明に係るレンズ鏡筒は、前記絞り機構を、絞り状態と開放状態とに切り換える切替手段（２０）をさらに有していてもよい。
【０００９】
また、例えば、本発明に係るレンズ鏡筒は、前記絞り機構の絞り値を設定するための絞り値設定手段（２８）をさらに有していてもよい。
【００１０】
また、例えば、本発明に係るレンズ鏡筒は、前記絞り機構を、絞り状態と開放状態とに切り換える切替手段を有し、
前記制御手段は、前記第１の情報が、前記カメラボディが前記絞り機構の制御が不可能であることを示す場合、前記切替手段の状態に基づいて前記絞り機構を駆動制御してもよい。
【００１１】
また、例えば、本発明に係るレンズ鏡筒は、前記絞り機構の絞り値を設定するための絞り値設定手段を有し、
前記制御手段は、前記第１の情報が、前記カメラボディが前記絞り機構の制御が不可能であることを示す場合、前記絞り設定手段での設定に基づいて前記絞り機構を駆動制御してもよい。
【００１２】
また、例えば、前記制御手段は、前記カメラボディからの制御信号に基づく場合と、前記設定された情報に基づく場合とで、前記絞り機構に対して異なる駆動制御してもよい。
【００１３】
また、例えば、本発明に係るレンズ鏡筒は、前記絞り機構に関する第２の情報を前記カメラボディ側へ送信する送信手段を有してもよい。
【００１４】
また、例えば、前記送信手段が送信する第２の情報は、前記第１の情報に応じて変化してもよい。また、例えば、前記受信手段は、前記レンズ鏡筒が装着されている前記カメラボディに対して電磁絞り機構を有することを示す情報を送信した後に、前記第１の情報を受信しても良い。
【００１５】
本発明に係るカメラシステムは、上記いずれかに記載されたレンズ鏡筒と、
前記レンズ鏡筒が取り付けられており、前記第２の情報を受信するボディ側受信手段および前記第１の情報を送信するボディ側送信手段とを有するカメラボディと、を有する。
【００１６】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１７】
以下、本発明を、図面に示す実施形態に基づき説明する。
図１は、本発明の一実施形態に係るレンズ鏡筒を取り付けたカメラボディの外観図、
図２は、図１に示すカメラにおける絞り機構の制御を表すブロック図、
図３は、レンズ鏡筒の絞り機構の制御に関連して、カメラボディで行われる通信処理のフローチャート、
図４は、レンズ鏡筒の絞り機構の制御に関連して、レンズ鏡筒で行われる通信処理のフローチャート、
図５は、カメラボディ側から絞り機構の駆動装置を制御する場合において、レンズ鏡筒内部で行われる一連の処理を表したフローチャート、
図６は、レンズ鏡筒内部の情報に基づき絞り機構の駆動装置を制御する場合において、レンズ鏡筒で行われる一連の処理を表したフローチャートである。
実施形態
【００１８】
図１は、本発明の一実施形態に係るレンズ鏡筒１２を取り付けたカメラボディ１０の外観図である。レンズ鏡筒１２は、不図示のマウント部によってカメラボディ１０に取り付けられており、レンズ鏡筒１２に備えられた撮影光学系（不図示）によって、被写体光をカメラボディ１０内部に導くことができる。
【００１９】
カメラボディ１０の内部には、撮影光学系によって導かれた被写体光による像を記録するための記録媒体（不図示）等が備えられている。記録媒体としては、銀塩フィルムや、ＣＣＤやＣＭＯＳ等の撮像素子が用いられる。
【００２０】
レンズ鏡筒１２には、撮影光学系による被写体光が通過する開口を調整するための絞り機構１６が備えられている。本実施形態における絞り機構１６は、複数の絞り羽根と、これを駆動するための駆動部（不図示）を有する電磁絞り機構である。絞り羽根を駆動するための駆動部としては、例えばステッピングモータを用いることができるが、電力を機械的な力に変換して絞り羽根を駆動するものであればなんでもよい。
【００２１】
絞り機構１６は、カメラボディ１０が当該絞り機構１６を制御可能である場合は、カメラボディ１０内のボディＣＰＵ（不図示）による演算結果に従って制御される。一方で、絞り機構１６は、カメラボディ１０が絞り機構１６を操作できない場合は、レンズ鏡筒１２に備えられた絞込スイッチ２０等による設定に従って駆動制御される。
【００２２】
すなわち、絞込スイッチ２０は、絞り機構１６の絞り羽根の位置を、被写体光が通過する開口を最大まで開放した（すなわち、開口の面積を最大にした）開放状態と、所定の状態まで開口を絞り込んだ（すなわち、開口の面積を開放状態より小さくした）絞込状態との間で切り換えるように設定することができる。また、レンズ鏡筒１２には、レンズ鏡筒１２の鏡筒外周部に設けられており、絞り機構１６による絞込量を設定する絞り環等の絞り設定部１７が設けられている。
【００２３】
図２は、図１に示すカメラにおける絞り機構１６の駆動制御を説明したブロック図である。レンズ鏡筒１２は、ドライバ２２を介して絞り機構１６を駆動制御することができるＭＣＵ（マイクロコントロールユニット）２４を有している。また、ＭＣＵ２４はレンズ側通信接点２６を介してカメラボディ１０と通信を行うことができる。
【００２４】
レンズ鏡筒１２を取り付けるカメラボディ１０は、カメラシステム全体の制御を行うことができるボディＣＰＵ３０を有している。レンズ鏡筒１２が取り付けられた状態では、カメラボディ１０側の通信接点３２は、レンズ鏡筒１２側の通信接点２６と接触している。ボディＣＰＵ３０は、ボディ側通信接点３２を介してレンズ鏡筒１２と通信することができる。なお、通信接点２６，３２の他に、カメラボディ１０からレンズ鏡筒１２へ電力を供給ための接点が設けられている。
【００２５】
本実施形態に係るカメラボディ１０としては、ボディＣＰＵ３０を介して絞り機構１６が制御可能であるものであってもよく、ボディＣＰＵ３０を介して絞り機構１６が制御できないものであってもよい。ボディＣＰＵ３０が絞り機構１６を制御可能である場合、ボディＣＰＵ３０は、ボディＣＰＵが絞り機構１６を制御可能であることを伝達する信号を、ＭＣＵ２４に送信する。ＭＣＵ２４は、ボディＣＰＵ３０が絞り機構１６を制御可能であることを伝達する信号を受信すると、ボディＣＰＵ３０からの制御信号に基づいて絞り機構１６を駆動制御する。
【００２６】
それに対して、上述のような絞り機構１６を制御可能であることを伝達する信号を受信しない場合、ＭＣＵ２４は、レンズ鏡筒１２に備えられたスイッチ等による設定に基づいて絞り機構１６を駆動制御する。すなわち、ＭＣＵ２４は、レンズ鏡筒１２に備えられた絞込スイッチ２０および絞り環１７の位置を検出する絞り環エンコーダ２８により絞り環１７で設定された絞り値を読み出し、その設定に基づいて絞り機構１６を駆動制御する。なお、ボディＣＰＵ３０が絞り機構１６を制御できないことを伝達する信号をＭＣＵ２４が受信した場合も同様である。
【００２７】
図３は、レンズ鏡筒１２の絞り機構１６の制御に関連して、カメラボディ１０で行われる処理を表すフローチャートである。図３に示す処理は、カメラの電源投入時や、レンズ鏡筒１２をカメラボディ１０に取り付けた際に開始される。
【００２８】
ステップＳ００１では、図２に示すボディＣＰＵ３０が、カメラボディ１０に取り付けられているレンズ鏡筒１２に関するレンズ情報を取得する。取得されるレンズ情報には、レンズ鏡筒１２に備えられる絞り機構１６が、ステッピングモータ等の駆動部を備えた電磁絞り機構であって、ボディＣＰＵ３０によって制御可能であるか否かを示す情報が含まれる。取得されたレンズ情報は、図２のカメラボディ１０内部に備えられた不図示のメモリに、一時的に格納される。なお、その他のレンズ情報としては、焦点距離や開放絞り値が含まれていても良い。
【００２９】
図３のステップＳ００２では、図２に示すボディＣＰＵ３０が、カメラボディ１０に関するボディ情報を、ＭＣＵ２４に対して送信する。ボディ情報は、ボディ側通信接点３２およびレンズ側通信接点２６を介して、ＭＣＵ２４に伝達される。送信されるボディ情報には、レンズ鏡筒１２に備えられる絞り機構１６を、カメラボディ１０に備えられるボディＣＰＵが制御可能であるか否かを示す情報が含まれる。
【００３０】
ステップＳ００３では、取得したレンズ情報に基づき、レンズ鏡筒１２に備えられる絞り機構１６をボディＣＰＵ３０によって制御することが可能か否かを、ボディＣＰＵ３０が判断する。
【００３１】
ボディＣＰＵ３０によって絞り機構１６を制御可能である場合は、ボディＣＰＵ３０は、レンズ鏡筒１２のＭＣＵ２４に対して電磁絞り対応通信を行う（ステップＳ００４）。例えばボディＣＰＵ３０は、絞り機構１６を開放状態にするコマンドをＭＣＵ２４に送信し、絞り機構１６を開放状態にした後に測光動作を行うことができる。また、例えば、レリーズボタン１８からの信号に連動して、絞り機構１６を所定の絞込量の絞込状態にするコマンドをＭＣＵ２４に送信し、絞り機構１６を所定の絞込量の絞込状態にした後に撮影動作を行うことができる。さらに、ボディＣＰＵは、ボディ内に備えられた測光センサ（不図示）その他の情報に基づいて、絞り機構１６の絞込量を演算し、絞り機構１６の絞込量を指示するコマンドを送信できる。
【００３２】
ボディＣＰＵ３０によって絞り機構１６を制御できない場合は、ボディＣＰＵ３０は、レンズ鏡筒１２のＭＣＵ２４に対して電磁絞り非対応通信を行う（ステップＳ００５）。例えばボディＣＰＵ３０は、絞り機構１６を駆動するコマンドをレンズ鏡筒１２のＭＣＵ２４等に送信することなく、レンズ鏡筒１２側から送信される絞り機構１６の状態に基づいて、測光動作や撮影動作をおこなうことができる。あるいは、ボディＣＰＵ３０は、絞り機構１６が所定の絞り値であるという仮定のもとで、測光動作や撮影動作をおこなうことができる。
【００３３】
このように、図２に示すカメラシステムのカメラボディ１０は、取得したレンズ情報を基に、ＭＣＵ２４に対する通信を変更することができる。これにより、例えば、ボディＣＰＵ３０が、絞り機構１６を駆動するコマンドに対するフィードバック信号が受信できない等、絞り機構１６を制御できないことによって発生するエラー動作等を回避することができる。
【００３４】
なお、カメラボディ１０が、電磁絞り機構を備えたレンズ鏡筒１２が取り付けられることを想定していないような場合は、図３におけるステップＳ００２〜ステップＳ００４に示す処理は省略され得る。このような場合であっても、本実施形態に係るカメラシステムは、後に述べるように、レンズ鏡筒１２の絞り機構１６を独立動作させることによって、絞り機構１６を適切に駆動させながら撮影動作を行うことができる。
【００３５】
図４は、絞り機構１６の制御に関連して、レンズ鏡筒１２側で行われる処理を表すフローチャートである。図４に示す処理も、図３に示すカメラボディ１０側の処理と同様に、カメラの電源投入時や、レンズ鏡筒１２をカメラボディ１０に取り付けた際に開始される。
【００３６】
ステップＳ１０１では、図２に示すＭＣＵ２４が、カメラボディ１０のボディＣＰＵ３０に対して、レンズ情報を送信する。レンズ情報は、レンズ側通信接点２６およびボディ側通信接点３２を介して、ボディＣＰＵ３０に伝達される。送信されるレンズ情報には、レンズ鏡筒１２に備えられる絞り機構１６が電磁絞り機構であるか否かを示す情報が含まれ、さらに、当該絞り機構１６を制御するためのコマンド形式等に関連する情報が含まれていてもよい。
【００３７】
図４のステップＳ１０２では、図２に示すＭＣＵ２４が、レンズ鏡筒１２が取り付けられているカメラボディ１０に関するボディ情報を取得する。取得されるボディ情報には、カメラボディ１０に備えられるボディＣＰＵ３０が、レンズ鏡筒１２に備えられている絞り機構１６を制御可能であるか否かを示す情報が含まれる。取得されたボディ情報は、ＭＣＵ２４内部または外部に備えられたメモリに一時的に格納される。
【００３８】
なお、ステップＳ１０１とステップＳ１０２は、順序が逆でもよく、その場合、ＭＣＵ２４が送信するレンズ情報は、ボディ情報に応じて内容が変化してもよい。カメラボディ１０が求める情報のフォーマット等が異なる場合があり、これに対応するためである。
【００３９】
ステップＳ１０３では、取得したボディ情報に基づき、カメラボディ１０に備えられるボディＣＰＵ３０が、レンズ鏡筒１２に備えられる絞り機構１６を制御することが可能か否かを、ＭＣＵ２４が判断する。
【００４０】
ボディＣＰＵ３０が絞り機構１６を制御することが可能であれば、絞り機構１６は、ボディＣＰＵ３０からのコマンドに基づいて従属動作される（ステップＳ１０４）。それに対して、ボディＣＰＵが絞り機構１６を制御することができないと判断した場合は、絞り機構１６は、ボディＣＰＵ３０からのコマンドではなく、レンズ鏡筒１２に備えられた絞込スイッチ等の状態に基づいて独立動作される。
【００４１】
図５に示すフローチャートは、図４のステップＳ１０４で行われる絞り機構１６の従属動作における一連の処理を表したものである。ステップＳ２０１では、図２に示すＭＣＵ２４は、カメラボディ１０と通信を行う。このとき、カメラボディ１０では、図３のステップＳ００４に示すように、電磁絞り対応通信が行われている。したがって、ボディＣＰＵ３０は、例えばレリーズボタン１８からの信号等に応じて所定の演算処理を行い、絞り機構１６を制御するための絞りコマンドを発信する。
【００４２】
図５のステップＳ２０２では、ステップＳ２０１におけるカメラボディ１０との通信によって、絞りコマンドを受信したか否かを判断する。絞りコマンドを受信した場合は、ＭＣＵ２４は、受信した絞りコマンドに従って絞り機構１６を駆動制御する（ステップＳ２０３）。それに対して、絞りコマンドを受信していない場合は、ＭＣＵ２４は、図５に示すサブルーチンを終了させる。
【００４３】
ＭＣＵ２４が受信する絞りコマンドとしては、例えば、絞り機構１６を開放状態にするコマンド、絞り機構１６を絞込状態にするコマンドおよび絞込状態にする際の絞込量を指定するコマンド等が含まれる。また、絞りコマンドには、絞り機構１６を駆動する駆動速度に関する情報が含まれていてもよい。
【００４４】
図５に示すステップＳ２０３では、図２に示すＭＣＵ２４は、受信した絞りコマンドに従って絞り機構１６を駆動制御する。すなわち、ＭＣＵ２４は、ドライバ２２に対して絞り機構１６を駆動させるための駆動信号を発信する。駆動信号を受信したドライバ２２は、駆動信号に対応した電力を、絞り機構１６の駆動部に供給して絞り羽根を移動させる。
【００４５】
図６に示すフローチャートは、図４のステップ１０５で行われる絞り機構１６の独立動作における一連の処理を表したものである。ステップＳ３０１では、ＭＣＵ２４は、カメラボディ１０と通信を行う。このとき、カメラボディ１０側では、図３のステップＳ００５に示すように、電磁絞り非対応通信が行われているため、ボディＣＰＵ３０は、絞り機構１６を制御する絞りコマンドを送信しない。
【００４６】
しかしこのような場合であっても、ボディＣＰＵ３０は、カメラボディ１０に備えられたレリーズボタンの半押しまたは全押し信号等、測光動作や撮影動作のタイミングに関連する信号を、ＭＣＵ２４に送信することができる。したがって、ＭＣＵ２４は、例えば、ボディＣＰＵ３０からレリーズボタンの全押し信号を受けたタイミングで（ステップＳ３０１）、ステップＳ３０２，Ｓ３０３に示す処理を行い、絞り機構１６を駆動させることができる。
【００４７】
ステップＳ３０２では、ＭＣＵ２４は、図２に示す絞込スイッチ２０および絞り環エンコーダ２８の状態を読み出す。絞込スイッチ２０の状態を読み出すことによって、ＭＣＵ２４は、絞り機構１６の状態を開放状態にすべきか、絞込状態にすべきかを判断することができる。また。絞り環エンコーダ２８の状態を読み出すことによって、例えば、絞り機構１６を絞込状態にする際の絞込量を認識することができる。
【００４８】
ステップＳ３０３では、ＭＣＵ２４は、ステップＳ３０２で読み出した結果に基づき、絞り機構１６を駆動制御する。すなわち、ＭＣＵ２４は、ドライバ２２に対して絞り機構を駆動させるための駆動信号を発信する。駆動信号を受信したドライバ２２は、駆動信号に対応した電力を、絞り機構１６の駆動部に供給して絞り羽根を移動させる。
【００４９】
なお、絞り機構１６の独立動作における当該絞り機構１６の駆動速度（絞り羽根の移動速度）は、従動動作における絞り機構１６の駆動速度と異なる駆動速度であってもよい。例えば、絞り機構１６の独立動作において、絞り機構１６を若干低速で駆動させることによって、低温環境において絞り羽根を高速で移動させる際に起こりうる不具合を防止できるため、カメラをより低温で動作させることが可能となる。
【００５０】
なお、図６に示す絞り機構１６の独立動作では、例えば図２に示すボディＣＰＵ３０が、レリーズスイッチに関する信号をＭＣＵ２４に送信しないような場合もあり得る。このような場合、ＭＣＵ２４は、所定のタイミングで、絞り込みスイッチ２０の状態を読み出し、その後あるいは所定のタイミングで、絞り機構１６の絞り羽根の位置（開放状態か否か）を読み出す開放検出を行う。そして、ＭＣＵ２４は、絞り込みスイッチ２０の状態が「絞り込み」を示している場合は、絞り環エンコーダ２８の状態を読み出すことにより、絞り環１７で設定された絞り値に対応した状態に絞り込むように絞り機構１６を駆動制御する。また、ＭＣＵ２４は、絞り込みスイッチ２０の状態が「開放」を示している場合で、前記開放検出により絞り羽根の位置が開放でないと判断された場合は、開放状態にするように絞り機構１６を駆動制御する。
【００５１】
このように、本実施形態に係るレンズ鏡筒１２は、カメラボディ１０が絞り機構１６の制御が可能か否かについて通信を行った後、絞り機構１６の制御を行う。したがって、ＭＣＵ２４が、絞り機構１６の駆動制御を、カメラボディ１０に応じて変更することができ、レンズ鏡筒１２をより多様なカメラボディで使用することが可能となる。
【００５２】
特に、レンズ鏡筒１２が、絞り機構１６を制御可能であるカメラボディ１０に取り付けられた場合は、ボディＣＰＵ３０は、ボディ内に備えられた他のセンサ等の情報を利用して、絞り機構１６の絞込量を自動調整することが可能である。一方で、レンズ鏡筒１２が、絞り機構１６を制御できないカメラボディ１０に取り付けられた場合でも、絞込スイッチ２０または絞り環等を操作することによって、撮影者は、自らの意図の通りに絞り機構１６を駆動させることが可能である。したがって、レンズ鏡筒１２は、カメラボディ１０がレンズ鏡筒１２の絞り機構１６を制御可能であるか、制御不可能であるかにかかわらず、それぞれのカメラボディ１０に取り付けて好適に使用することができる。
【図面の簡単な説明】
【００５３】
【図１】図１は、本発明の一実施形態に係るレンズ鏡筒を取り付けたカメラボディの外観図である。
【図２】図２は、図１に示すカメラにおける絞り機構の制御を表すブロック図である。
【図３】図３は、レンズ鏡筒の絞り機構の制御に関連して、カメラボディで行われる通信処理のフローチャートである。
【図４】図４は、レンズ鏡筒の絞り機構の制御に関連して、レンズ鏡筒で行われる通信処理のフローチャートである。
【図５】図５は、カメラボディ側から絞り機構の駆動装置を制御する場合において、レンズ鏡筒内部で行われる一連の処理を表したフローチャートである。
【図６】図６は、レンズ鏡筒内部の情報に基づき絞り機構の駆動装置を制御する場合において、レンズ鏡筒で行われる一連の処理を表したフローチャートである。
【符号の説明】
【００５４】
１２…  レンズ鏡筒
１６…  絞り機構
２０…  絞込スイッチ
２４…  ＭＣＵ
２６…  レンズ側通信接点
３０…  ボディＣＰＵ
【図１】
0005391552.tif 000002
【図２】
0005391552.tif 000003
【図３】
0005391552.tif 000004
【図４】
0005391552.tif 000005
【図５】
0005391552.tif 000006
【図６】
0005391552.tif 000007